(57)【要約】【課題】画像を受け付け、外部装置にその画像を記憶させるにあたって、画像を受け付ける都度に、ユーザーの操作によって認証情報を受け付ける必要がないようにした情報処理装置を提供する。【解決手段】情報処理装置の取得手段は、画像を受け付けた場合に、予め記憶している第１の認証情報を用いて、外部装置の認証に必要な有効期限のある第２の認証情報を取得し、送信手段は、前記第２の認証情報を用いて、前記外部装置に接続し、該外部装置に前記画像を送信する。【選択図】図１
2019061324.tif 000002
【特許請求の範囲】
【請求項１】
画像を受け付けた場合に、予め記憶している第１の認証情報を用いて、外部装置の認証に必要な有効期限のある第２の認証情報を取得する取得手段と、
前記第２の認証情報を用いて、前記外部装置に接続し、該外部装置に前記画像を送信する送信手段
を有する情報処理装置。
【請求項２】
前記取得手段は、認証装置に対して、前記第１の認証情報を送信し、該認証装置から前記第２の認証情報を取得する、
請求項１に記載の情報処理装置。
【請求項３】
前記第１の認証情報が変更された場合は、第１の認証情報を記憶している記憶手段内の第１の認証情報を変更後の第１の認証情報に変更する、
請求項１に記載の情報処理装置。
【請求項４】
認証装置に対して第１の認証情報を送信し、該認証装置からの応答によって得た第２の認証情報を記憶する記憶手段と、
画像を受け付けた場合に、前記記憶手段に記憶されている第２の認証情報を用いて、外部装置の認証に必要な有効期限のある第３の認証情報を取得する取得手段と、
前記第３の認証情報を用いて、前記外部装置に接続し、該外部装置に前記画像を送信する送信手段
を有する情報処理装置。
【請求項５】
前記画像の受け付けは、ファックスによって画像を受信することである、
請求項１又は４に記載の情報処理装置。
【請求項６】
前記外部装置は、前記ファックスによって受信した画像を記憶する記憶装置としての機能を有する、
請求項５に記載の情報処理装置。
【請求項７】
前記取得手段は、前記認証装置に対して、前記第２の認証情報を送信し、該認証装置から前記第３の認証情報を取得する、
請求項４に記載の情報処理装置。
【請求項８】
前記取得手段が取得する第３の認証情報は、リフレッシュトークンとアクセストークンが含まれており、
前記送信手段は、前記アクセストークンを用いて、前記外部装置に接続し、該外部装置に前記画像を送信する、
請求項７に記載の情報処理装置。
【請求項９】
前記リフレッシュトークンを前記記憶手段に前記第２の認証情報として記憶させる、
請求項８に記載の情報処理装置。
【請求項１０】
前記リフレッシュトークンが期限切れとなった場合は、ユーザーに通知する通知手段
をさらに有する請求項８に記載の情報処理装置。
【請求項１１】
前記ユーザーの操作によって前記第１の認証情報を受け付け、
前記記憶手段は、前記認証装置に対して、受け付けた第１の認証情報を送信し、該認証装置からの応答によって得た第２の認証情報を記憶する、
請求項１０に記載の情報処理装置。
【請求項１２】
コンピュータを、
画像を受け付けた場合に、予め記憶している第１の認証情報を用いて、外部装置の認証に必要な有効期限のある第２の認証情報を取得する取得手段と、
前記第２の認証情報を用いて、前記外部装置に接続し、該外部装置に前記画像を送信する送信手段
として機能させるための情報処理プログラム。
【請求項１３】
コンピュータを、
認証装置に対して第１の認証情報を送信し、該認証装置からの応答によって得た第２の認証情報を記憶する記憶手段と、
画像を受け付けた場合に、前記記憶手段に記憶されている第２の認証情報を用いて、外部装置の認証に必要な有効期限のある第３の認証情報を取得する取得手段と、
前記第３の認証情報を用いて、前記外部装置に接続し、該外部装置に前記画像を送信する送信手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、社内のファックス機に届いた顧客からのファクシミリデータを、セキュリティを確保した上で外出先から閲覧可能とすることを課題とし、ファックス送受信装置は、受信したデータを、送信側から指定されたＦコードに対応する親展ボックスに格納する機能を備えており、各親展ボックスは、文書管理サーバーの各ユーザーのＦＡＸ  ＢＯＸと関連付けられており、親展ボックス宛にファックスデータを受信すると、受信ファックスデータは関連するユーザーのＦＡＸ  ＢＯＸに格納され、ユーザーは携帯電話を用いて文書管理サーバーにアクセスし、自己のＦＡＸ  ＢＯＸに格納されたファックスデータを閲覧できるが、閲覧したファックスデータは携帯電話内に記録されないように構成されていることが開示されている。
【０００３】
特許文献２には、Ｗｅｂサービスにアクセスする場合に、Ｗｅｂサービスに対する認証情報の入力の手間を軽減することが可能な画像形成装置を提供することを課題とし、認証処理部は画像形成装置に対するユーザーの認証処理を行い、認証処理部によってユーザーが認証された場合、認証情報取得部は、認証されたユーザーを識別するためのユーザー情報に関連付けられＷｅｂサービスにアクセスするための認証済みアクセス情報を取得し、アクセス部は当該認証済みアクセス情報を用いてＷｅｂサービスにアクセスし、認証処理部によってユーザーが認証されていない場合、識別子取得部は、未認証ユーザーが過去にＷｅｂサービスにアクセスしたときに入力した未認証アクセス情報を取得し、制御部は、当該未認証アクセス情報をユーザーに選択させるように表示部に表示させることが開示されている。
【先行技術文献】
【特許文献】
【０００４】
【特許文献１】特開２０１０−０８７８７７号公報
【特許文献２】特開２０１６−０５３９７２号公報
【発明の概要】
【発明が解決しようとする課題】
【０００５】
画像を受け付けた場合に、外部装置にその画像を記憶させることが行われている。その外部装置に認証情報を用いて接続しなければならない。そのために、画像を受け付ける都度に、ユーザーの操作によって認証情報を受け付ける必要がある。
本発明は、画像を受け付け、外部装置にその画像を記憶させるにあたって、画像を受け付ける都度に、ユーザーの操作によって認証情報を受け付ける必要がないようにした情報処理装置及び情報処理プログラムを提供することを目的としている。
【課題を解決するための手段】
【０００６】
かかる目的を達成するための本発明の要旨とするところは、次の各項の発明に存する。
請求項１の発明は、画像を受け付けた場合に、予め記憶している第１の認証情報を用いて、外部装置の認証に必要な有効期限のある第２の認証情報を取得する取得手段と、前記第２の認証情報を用いて、前記外部装置に接続し、該外部装置に前記画像を送信する送信手段を有する情報処理装置である。
【０００７】
請求項２の発明は、前記取得手段は、認証装置に対して、前記第１の認証情報を送信し、該認証装置から前記第２の認証情報を取得する、請求項１に記載の情報処理装置である。
【０００８】
請求項３の発明は、前記第１の認証情報が変更された場合は、第１の認証情報を記憶している記憶手段内の第１の認証情報を変更後の第１の認証情報に変更する、請求項１に記載の情報処理装置である。
【０００９】
請求項４の発明は、認証装置に対して第１の認証情報を送信し、該認証装置からの応答によって得た第２の認証情報を記憶する記憶手段と、画像を受け付けた場合に、前記記憶手段に記憶されている第２の認証情報を用いて、外部装置の認証に必要な有効期限のある第３の認証情報を取得する取得手段と、前記第３の認証情報を用いて、前記外部装置に接続し、該外部装置に前記画像を送信する送信手段を有する情報処理装置である。
【００１０】
請求項５の発明は、前記画像の受け付けは、ファックスによって画像を受信することである、請求項１又は４に記載の情報処理装置である。
【００１１】
請求項６の発明は、前記外部装置は、前記ファックスによって受信した画像を記憶する記憶装置としての機能を有する、請求項５に記載の情報処理装置である。
【００１２】
請求項７の発明は、前記取得手段は、前記認証装置に対して、前記第２の認証情報を送信し、該認証装置から前記第３の認証情報を取得する、請求項４に記載の情報処理装置である。
【００１３】
請求項８の発明は、前記取得手段が取得する第３の認証情報は、リフレッシュトークンとアクセストークンが含まれており、前記送信手段は、前記アクセストークンを用いて、前記外部装置に接続し、該外部装置に前記画像を送信する、請求項７に記載の情報処理装置である。
【００１４】
請求項９の発明は、前記リフレッシュトークンを前記記憶手段に前記第２の認証情報として記憶させる、請求項８に記載の情報処理装置である。
【００１５】
請求項１０の発明は、前記リフレッシュトークンが期限切れとなった場合は、ユーザーに通知する通知手段をさらに有する請求項８に記載の情報処理装置である。
【００１６】
請求項１１の発明は、前記ユーザーの操作によって前記第１の認証情報を受け付け、前記記憶手段は、前記認証装置に対して、受け付けた第１の認証情報を送信し、該認証装置からの応答によって得た第２の認証情報を記憶する、請求項１０に記載の情報処理装置である。
【００１７】
請求項１２の発明は、コンピュータを、画像を受け付けた場合に、予め記憶している第１の認証情報を用いて、外部装置の認証に必要な有効期限のある第２の認証情報を取得する取得手段と、前記第２の認証情報を用いて、前記外部装置に接続し、該外部装置に前記画像を送信する送信手段として機能させるための情報処理プログラムである。
【００１８】
請求項１３の発明は、コンピュータを、認証装置に対して第１の認証情報を送信し、該認証装置からの応答によって得た第２の認証情報を記憶する記憶手段と、画像を受け付けた場合に、前記記憶手段に記憶されている第２の認証情報を用いて、外部装置の認証に必要な有効期限のある第３の認証情報を取得する取得手段と、前記第３の認証情報を用いて、前記外部装置に接続し、該外部装置に前記画像を送信する送信手段として機能させるための情報処理プログラムである。
【発明の効果】
【００１９】
請求項１の情報処理装置によれば、画像を受け付け、外部装置にその画像を記憶させるにあたって、画像を受け付ける都度に、ユーザーの操作によって認証情報を受け付ける必要がないようにすることができる。
【００２０】
請求項２の情報処理装置によれば、認証装置から第２の認証情報を取得することができる。
【００２１】
請求項３の情報処理装置によれば、第１の認証情報が変更された場合は、記憶手段内の第１の認証情報を変更後の第１の認証情報に変更することができる。
【００２２】
請求項４の情報処理装置によれば、画像を受け付け、外部装置にその画像を記憶させるにあたって、画像を受け付ける都度に、ユーザーの操作によって認証情報を受け付ける必要がないようにすることができる。
【００２３】
請求項５の情報処理装置によれば、ファックスによって画像を受け付けることができる。
【００２４】
請求項６の情報処理装置によれば、ファックスによって受信した画像を記憶する記憶装置としての機能を有する外部装置を用いることができる。
【００２５】
請求項７の情報処理装置によれば、認証装置から第３の認証情報を取得することができる。
【００２６】
請求項８の情報処理装置によれば、アクセストークンを用いて、外部装置に接続し、その外部装置に画像を送信することができる。
【００２７】
請求項９の情報処理装置によれば、第２の認証情報としてリフレッシュトークンを用いることができる。
【００２８】
請求項１０の情報処理装置によれば、リフレッシュトークンが期限切れとなった場合は、ユーザーに通知することができる。
【００２９】
請求項１１の情報処理装置によれば、ユーザーの操作によって第１の認証情報を受け付け、記憶手段は、認証装置に対して、受け付けた第１の認証情報を送信し、その認証装置からの応答によって得た第２の認証情報を記憶することができる。
【００３０】
請求項１２の情報処理プログラムによれば、画像を受け付け、外部装置にその画像を記憶させるにあたって、画像を受け付ける都度に、ユーザーの操作によって認証情報を受け付ける必要がないようにすることができる。
【００３１】
請求項１３の情報処理プログラムによれば、画像を受け付け、外部装置にその画像を記憶させるにあたって、画像を受け付ける都度に、ユーザーの操作によって認証情報を受け付ける必要がないようにすることができる。
【図面の簡単な説明】
【００３２】
【図１】第１の実施の形態の構成例についての概念的なモジュール構成図である。
【図２】本実施の形態を利用したシステム構成例を示す説明図である。
【図３】第１の実施の形態による処理例を示す説明図である。
【図４】第１の実施の形態による認証情報受付画面の表示例を示す説明図である。
【図５】認証情報テーブル、ファックス番号・認証情報対応テーブルのデータ構造例を示す説明図である。
【図６】第１の実施の形態による処理例を示すフローチャートである。
【図７】第１の実施の形態による処理例を示すフローチャートである。
【図８】第２の実施の形態の構成例についての概念的なモジュール構成図である。
【図９】第２の実施の形態による処理例を示す説明図である。
【図１０】ファックス番号・認証情報対応テーブルのデータ構造例を示す説明図である。
【図１１】第２の実施の形態による処理例を示すフローチャートである。
【図１２】第２の実施の形態による処理例を示すフローチャートである。
【図１３】本実施の形態を実現するコンピュータのハードウェア構成例を示すブロック図である。
【発明を実施するための形態】
【００３３】
以下、図面に基づき本発明を実現するにあたっての好適な各種の実施の形態の例を説明する。
＜第１の実施の形態＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００３４】
第１の実施の形態である情報処理装置１００は、画像を受け付け、画像記憶装置１９０にその画像を記憶させるものであって、図１の例に示すように、認証情報受付モジュール１１０、認証情報記憶モジュール１２０、文書受付モジュール１３０、文書送信モジュール１４０を有している。情報処理装置１００は、文書である画像の転送時の認証情報の管理に関する処理を行うものである。
例えば、情報処理装置１００で受信したファックス文書を外部サーバーである画像記憶装置１９０へ転送する場合に、画像記憶装置１９０で認証が必要な場合であっても、ファックス受信の都度に、認証情報を入力せずに済むようにしたものである。
例えば、情報処理装置１００は、第１の認証情報を保持し、ファックス受信時に、第１の認証情報から画像記憶装置１９０での認証に必要な有効期限のある第２の認証情報を取得して、画像記憶装置１９０へアクセスする。なお、第１の認証情報は、有効期限のないものであってもよい。なお、ファックス受信だけでなく、スキャナーでの画像の読み込みとしてもよい。つまり、スキャナーで画像を読み込んだ場合、その画像を画像記憶装置１９０へ転送するようにしてもよい。
【００３５】
認証情報受付モジュール１１０は、認証情報記憶モジュール１２０と接続されている。認証情報受付モジュール１１０は、第１の認証情報を受け付ける。例えば、認証情報受付画面４００を用いて、第１の認証情報であるユーザーＩＤ（ＩＤｅｎｔｉｆｉｃａｔｉｏｎ）とパスワードを受け付けるようにしてもよい。図４は、第１の実施の形態による認証情報受付画面４００の表示例を示す説明図である。Ｗｅｂユーザーインタフェースである認証情報受付画面４００には、ＩＤ受付欄４１０、パスワード受付欄４２０を表示する。ＩＤ受付欄４１０では、ユーザーＩＤを受け付ける。パスワード受付欄４２０では、そのユーザーＩＤに対応するパスワードを受け付ける。ここでの、ユーザーＩＤとパスワードは、認証装置１８０におけるユーザーＩＤとパスワードである。
もちろんのことながら、第１の認証情報は、ユーザーを認証できる情報であれば、ユーザーＩＤとパスワード以外であってもよい。例えば、ユーザーが所持しているＩＣカードを読み取り、ＩＣカード内に記憶されている情報を照合するようにしてもよいし、その他、指紋等の生体情報であってもよい。
【００３６】
認証情報記憶モジュール１２０は、認証情報受付モジュール１１０、文書送信モジュール１４０と接続されている。認証情報記憶モジュール１２０は、第１の認証情報を記憶している。さらに、第２の認証情報を記憶してもよい。また、第１の認証情報、第２の認証情報を暗号化して記憶してもよい。例えば、認証情報記憶モジュール１２０は、認証情報テーブル５００ａ又はファックス番号・認証情報対応テーブル５００ｂを記憶している。図５（ａ）は、認証情報テーブル５００ａのデータ構造例を示す説明図である。認証情報テーブル５００ａは、ＩＤ欄５２０、パスワード欄５３０を有している。ＩＤ欄５２０は、ユーザーＩＤを記憶している。パスワード欄５３０は、そのユーザーＩＤに対応するパスワードを記憶している。図５（ｂ）は、ファックス番号・認証情報対応テーブル５００ｂのデータ構造例を示す説明図である。ファックス番号・認証情報対応テーブル５００ｂは、ファックス番号欄５１０、ＩＤ欄５２０、パスワード欄５３０を有している。つまり、認証情報テーブル５００ａに、ファックス番号欄５１０を付加したものである。ファックス番号欄５１０は、ファックス番号を記憶している。認証情報テーブル５００ａ、ファックス番号・認証情報対応テーブル５００ｂのいずれを用いてもよいが、以下、ファックス番号・認証情報対応テーブル５００ｂを用いた例を説明する。
例えば、ファックスで受信した画像を画像記憶装置１９０に転送する場合、文書送信モジュール１４０は、受信した際のファックス番号に対応するユーザーＩＤとパスワードを、ファックス番号・認証情報対応テーブル５００ｂから抽出する。そして、抽出したユーザーＩＤとパスワードを用いて、認証装置１８０に接続する。
また、例えば、スキャナーで読み込んだ画像を画像記憶装置１９０に送信する場合、文書送信モジュール１４０は、情報処理装置１００にログインしているユーザーのユーザーＩＤとパスワードを、ファックス番号・認証情報対応テーブル５００ｂから抽出する。そして、抽出したユーザーＩＤとパスワードを用いて、認証装置１８０に接続する。
【００３７】
文書受付モジュール１３０は、文書送信モジュール１４０と接続されている。文書受付モジュール１３０は、画像を受け付ける。画像の受け付けとして、例えば、ファックスによって画像を受信すること、スキャナーで画像を読み取ること等がある。
【００３８】
文書送信モジュール１４０は、認証情報記憶モジュール１２０、文書受付モジュール１３０、認証装置１８０、画像記憶装置１９０と接続されている。文書送信モジュール１４０は、文書受付モジュール１３０が画像を受け付けた場合に、予め記憶している第１の認証情報を用いて、外部装置である画像記憶装置１９０の認証に必要な有効期限のある第２の認証情報を取得する。つまり、第１の認証情報から第２の認証情報を取得する。
そして、文書送信モジュール１４０は、その第２の認証情報を用いて、画像記憶装置１９０に接続し、画像記憶装置１９０に文書受付モジュール１３０が受け付けた画像を送信する。つまり、画像を画像記憶装置１９０へ転送する。具体的には、画像を転送する際に第２の認証情報を付加するようにしてもよい。
また、文書送信モジュール１４０は、認証装置１８０に対して、第１の認証情報を送信し、その認証装置１８０から第２の認証情報を取得するようにしてもよい。具体的には、認証装置１８０にアクセスして、第１の認証情報であるユーザーＩＤとパスワードから第２の認証情報であるトークン情報（アクセストークン）を取得する。なお、第２の認証情報として、アクセストークンだけでなく、リフレッシュトークンを含めるようにしてもよい。
また、文書送信モジュール１４０は、第１の認証情報が変更された場合は、第１の認証情報を記憶している認証情報記憶モジュール１２０内の第１の認証情報を変更後の第１の認証情報に変更するようにしてもよい。第１の認証情報の変更（例えば、パスワード変更）が発生すると、画像の転送に失敗することになる。したがって、第１の認証情報の変更が発生したら、第１の認証情報を再入力するように通知する。また、他の方法として、第１の認証情報の変更が行われたら、第１の認証情報を管理するシステムが第１の認証情報を書き換えるようにしてもよい。
【００３９】
認証装置１８０は、情報処理装置１００の文書送信モジュール１４０と接続されている。認証装置１８０は、第１の認証情報でユーザーを認証し、一度認証を受けるだけで、他の異なるアプリケーションやシステム（ここでは、画像記憶装置１９０）へアクセスできるようにするものであって、既存の認証装置１８０を用いればよい。例えば、ＯＡｕｔｈ、シングルサインオン等の技術が用いられる。
【００４０】
画像記憶装置１９０は、情報処理装置１００の文書送信モジュール１４０と接続されている。画像記憶装置１９０は、情報処理装置１００から送信されてきた画像を受信し、記憶する。画像記憶装置１９０は、画像サーバーともいわれる。例えば、情報処理装置１００がファックスによって受信した画像を記憶する機能を有するようにしてもよい。また、情報処理装置１００がスキャナーで読み取った画像を記憶する機能を有するようにしてもよい。
【００４１】
図２は、本実施の形態を利用したシステム構成例を示す説明図である。
画像処理装置２００は、情報処理装置１００を有している。画像処理装置２００は、例えば、ファックス、スキャナー、複合機（スキャナー、プリンター、複写機、ファックス等のいずれか２つ以上の機能を有している画像処理装置）等である。画像処理装置９００は、情報処理装置８００を有している。ユーザー端末２１０は、ユーザー２２０によって使用される。認証装置１８０、認証装置８８０、画像記憶装置１９０、画像処理装置２００、ユーザー端末２１０、ファックス装置２３０、画像処理装置９００は、通信回線２９０を介してそれぞれ接続されている。通信回線２９０は、無線、有線、これらの組み合わせであってもよく、例えば、通信インフラとしてのインターネット、イントラネット等であってもよい。また、認証装置１８０、認証装置８８０、画像記憶装置１９０による機能は、クラウドサービスとして実現してもよい。
例えば、ファックス装置２３０から画像処理装置２００に画像をファックス送信する。画像処理装置２００内の情報処理装置１００は、認証装置１８０を用いて画像記憶装置１９０に接続し、ファックス装置２３０から受信した画像を画像記憶装置１９０に送信する。そして、ファックスを受信したユーザー２２０は、ユーザー端末２１０を用いて、画像記憶装置１９０内の画像を参照する。
また、例えば、ユーザー２２０の操作によって、画像処理装置２００のスキャナーで画像を読み取る。画像処理装置２００内の情報処理装置１００は、認証装置１８０を用いて画像記憶装置１９０に接続し、スキャナーで読み込んだ画像を画像記憶装置１９０に送信する。そして、ユーザー２２０は、ユーザー端末２１０を用いて、画像記憶装置１９０内の画像を参照する。
なお、画像処理装置９００、認証装置８８０を用いた処理例については、第２の実施の形態として後述する。
【００４２】
図３は、第１の実施の形態による処理例を示す説明図である。
ステップＳ３０２では、画像処理装置２００は、ユーザー端末２１０の指示書編集画面で認証装置１８０のユーザーＩＤとパスワードを受け付け、暗号化して指示書に保存する。ここで指示書とは、画像処理装置２００に対する指示（具体的には、ユーザー２２０宛てのファックスを受け取った場合は、そのファックス画像を画像記憶装置１９０に送信することのワークフロー）等を記憶しているファイルであって、ここでは、少なくとも認証装置１８０におけるユーザー２２０のユーザーＩＤとパスワードを記憶している。なお、画像処理装置２００に指示書がインストールされた状態で、画像処理装置２００のユーザーインタフェースから、指示内容（ユーザーＩＤとパスワード等）を編集するようにしてもよい。
ステップＳ３０４では、ユーザー２２０の操作にしたがって、ユーザー端末２１０は、画像処理装置２００に指示書をインストールする。
【００４３】
ステップＳ３５２では、画像処理装置２００は、ファックス機能によって画像を受信する。
ステップＳ３５４では、情報処理装置１００は、文書送信モジュール１４０を呼び出し（起動し）、文書送信モジュール１４０にユーザーＩＤとパスワードを渡す。
ステップＳ３５６では、文書送信モジュール１４０は、ユーザーＩＤとパスワードを復号する。
【００４４】
ステップＳ３５８では、文書送信モジュール１４０は、認証装置１８０より、ユーザーＩＤとパスワードでアクセストークンの取得要求を行う。
ステップＳ３６０では、認証装置１８０は、文書送信モジュール１４０に対し、アクセストークンを応答する。
ステップＳ３６２では、文書送信モジュール１４０は、アクセストークンを用いて画像記憶装置１９０へアクセスし、受信した画像を転送する。
【００４５】
図６は、第１の実施の形態による処理例を示すフローチャートである。画像を受け付ける前に行う処理であって、認証装置１８０への認証情報（第１の認証情報）を予め認証情報記憶モジュール１２０に記憶させておく処理である。
ステップＳ６０２では、認証情報受付モジュール１１０は、ユーザー２２０の操作より第１の認証情報を受け付ける。ユーザー端末２１０を介して受け付けてもよいし、画像処理装置２００のユーザーインタフェースを介して受け付けてもよい。
ステップＳ６０４では、認証情報受付モジュール１１０は、認証情報記憶モジュール１２０に第１の認証情報を保存する。
【００４６】
図７は、第１の実施の形態による処理例を示すフローチャートである。画像を受け付けた後に行う処理であって、認証装置１８０を用いて画像記憶装置１９０に画像を転送する処理である。
ステップＳ７０２では、文書受付モジュール１３０は、文書である画像をファックス受信する。
ステップＳ７０４では、文書受付モジュール１３０は、文書送信モジュール１４０を起動する。
ステップＳ７０６では、文書送信モジュール１４０は、認証情報記憶モジュール１２０より第１の認証情報の取得要求を行う。
ステップＳ７０８では、認証情報記憶モジュール１２０は、文書送信モジュール１４０に対して、第１の認証情報を応答する。
【００４７】
ステップＳ７１０では、文書送信モジュール１４０は、認証装置１８０に対して、第１の認証情報を送信する。
ステップＳ７１２では、認証装置１８０は、文書送信モジュール１４０に対して、第２の認証情報を応答する。
ステップＳ７１４では、文書送信モジュール１４０は、画像記憶装置１９０に対して、第２の認証情報を添付して文書を送信する。そして、画像記憶装置１９０では、第２の認証情報によってログインされ、画像を受信し、そのログインされたユーザーに対応する記憶領域に画像を記憶する。
【００４８】
＜第２の実施の形態＞
図８は、第２の実施の形態の構成例についての概念的なモジュール構成図である。
第２の実施の形態である情報処理装置８００は、画像を受け付け、外部装置にその画像を記憶させるものであって、図８の例に示すように、認証情報受付モジュール１１０、認証情報記憶モジュール８２０、文書受付モジュール１３０、文書送信モジュール８４０を有している。なお、第１の実施の形態と同種の部位には同一符号を付し重複した説明を省略する。
【００４９】
認証情報受付モジュール１１０は、認証情報記憶モジュール８２０、認証装置８８０の認証情報生成モジュール８８２と接続されている。
文書受付モジュール１３０は、文書送信モジュール８４０と接続されている。
【００５０】
認証情報記憶モジュール８２０は、認証情報受付モジュール１１０、認証装置８８０の認証情報生成モジュール８８２、認証情報更新モジュール８８４と接続されている。認証情報記憶モジュール８２０は、認証装置８８０に対して第１の認証情報を送信し、その認証装置８８０からの応答によって得た第２の認証情報を記憶する。例えば、認証情報記憶モジュール８２０は、ファックス番号・認証情報対応テーブル１０００を記憶している。図１０は、ファックス番号・認証情報対応テーブル１０００のデータ構造例を示す説明図である。ファックス番号・認証情報対応テーブル１０００は、ファックス番号欄１０１０、リフレッシュトークン欄１０２０を有している。ファックス番号欄１０１０は、ファックス番号を記憶している。リフレッシュトークン欄１０２０は、リフレッシュトークンを記憶している。
例えば、ファックスで受信した画像を画像記憶装置１９０に転送する場合、文書送信モジュール８４０は、受信した際のファックス番号に対応するリフレッシュトークンを、ファックス番号・認証情報対応テーブル１０００から抽出する。そして、抽出したリフレッシュトークンを用いて認証装置８８０からアクセストークンを取得して、そのアクセストークンを用いて画像記憶装置１９０に接続する。
また、ファックス番号・認証情報対応テーブル１０００のファックス番号欄１０１０をユーザーＩＤを記憶しているユーザーＩＤ欄としてもよい。この場合、例えば、スキャナーで読み込んだ画像を画像記憶装置１９０に送信する場合、文書送信モジュール８４０は、情報処理装置８００にログインしているユーザーのユーザーＩＤから、ファックス番号・認証情報対応テーブル１０００を用いてリフレッシュトークンを抽出する。そして、抽出したリフレッシュトークンを用いて認証装置８８０からアクセストークンを取得して、そのアクセストークンを用いて画像記憶装置１９０に接続する。
【００５１】
文書送信モジュール８４０は、文書受付モジュール１３０、認証装置８８０の認証情報更新モジュール８８４、画像記憶装置１９０と接続されている。文書送信モジュール８４０は、文書受付モジュール１３０が画像を受け付けた場合に、認証情報記憶モジュール８２０に記憶されている第２の認証情報を用いて、外部装置である画像記憶装置１９０の認証に必要な有効期限のある第３の認証情報を取得する。
そして、文書送信モジュール８４０は、その第３の認証情報を用いて、画像記憶装置１９０に接続し、画像記憶装置１９０に文書受付モジュール１３０が受け付けた画像を送信する。つまり、画像を画像記憶装置１９０へ転送する。具体的には、画像を転送する際に第３の認証情報を付加するようにしてもよい。
また、文書送信モジュール８４０は、認証装置８８０に対して、第２の認証情報を送信し、その認証装置８８０から第３の認証情報を取得するようにしてもよい。
さらに、文書送信モジュール８４０が取得する第３の認証情報は、リフレッシュトークンとアクセストークンが含まれていてもよい。つまり、認証装置８８０は、第３の認証情報として、リフレッシュトークンとアクセストークンを情報処理装置８００に送信する。
そして、文書送信モジュール８４０は、アクセストークンを用いて、画像記憶装置１９０に接続し、その画像記憶装置１９０に画像を送信するようにしてもよい。
また、文書送信モジュール８４０は、リフレッシュトークンを認証情報記憶モジュール８２０に第２の認証情報として記憶させるようにしてもよい。
【００５２】
また、認証情報受付モジュール１１０は、リフレッシュトークンが期限切れとなった場合は、ユーザーに通知するようにしてもよい。つまり、リフレッシュトークンの期限切れが発生すると、文書の転送に失敗することになる。そこで、リフレッシュトークンの有効期限を逐次チェックして、切れたらユーザーに通知する。
そして、認証情報受付モジュール１１０は、ユーザーの操作によって第１の認証情報を受け付け（ユーザーによる第１の認証情報の再入力）、認証情報記憶モジュール８２０は、認証装置８８０に対して、受け付けた第１の認証情報を送信し、その認証装置８８０からの応答によって得た第２の認証情報を記憶するようにしてもよい。
【００５３】
認証装置８８０は、認証情報生成モジュール８８２、認証情報更新モジュール８８４を有している。
認証情報生成モジュール８８２は、情報処理装置８００の認証情報受付モジュール１１０、認証情報記憶モジュール８２０と接続されている。認証情報生成モジュール８８２は、第１の認証情報を受信し、第２の認証情報を生成して、情報処理装置８００に送信する。
認証情報更新モジュール８８４は、情報処理装置８００の認証情報記憶モジュール８２０、文書送信モジュール８４０と接続されている。認証情報更新モジュール８８４は、第２の認証情報を更新して有効期限を延ばす。具体的には、情報処理装置８００からのアクセスに応じて、トークン情報に含まれるリフレッシュトークンを更新し、更新したトークン情報を応答する。
画像記憶装置１９０は、情報処理装置８００の文書送信モジュール８４０と接続されている。
【００５４】
図２の例に示すように、情報処理装置８００を有している画像処理装置９００を通信回線２９０に接続するようにしてもよい。そして、この場合、認証装置８８０を用いるようにしてもよい。
例えば、ファックス装置２３０から画像処理装置９００に画像をファックス送信する。画像処理装置９００内の情報処理装置８００は、認証装置８８０を用いて画像記憶装置１９０に接続し、ファックス装置２３０から受信した画像を画像記憶装置１９０に送信する。そして、ファックスを受信したユーザー２２０は、ユーザー端末２１０を用いて、画像記憶装置１９０内の画像を参照する。
また、例えば、ユーザー２２０の操作によって、画像処理装置９００のスキャナーで画像を読み取る。画像処理装置９００内の情報処理装置８００は、認証装置８８０を用いて画像記憶装置１９０に接続し、スキャナーで読み込んだ画像を画像記憶装置１９０に送信する。そして、ユーザー２２０は、ユーザー端末２１０を用いて、画像記憶装置１９０内の画像を参照する。
【００５５】
図９は、第２の実施の形態による処理例を示す説明図である。
ステップＳ９０２では、画像処理装置９００は、認証情報受付モジュール１１０として、ユーザー２２０の操作によって、認証装置８８０のＩＤ／パスワードを受け付ける。
ステップＳ９０４では、画像処理装置９００は、認証装置８８０のＩＤ／パスワードを、認証装置８８０に送信する。
ステップＳ９０６では、認証装置８８０は、アクセストークン／リフレッシュトークンを、画像処理装置９００に送信する。情報処理装置８００内の認証情報記憶モジュール８２０は、そのアクセストークン／リフレッシュトークンを保存する。アクセストークン／リフレッシュトークンを認証情報記憶モジュール８２０に保存して、その処理は終了し、ステップＳ９５６で保存したリフレッシュトークンを取得する。
【００５６】
ステップＳ９５２では、画像処理装置９００は、ファックス機能によって画像を受信する。以後、指示書ジョブ９８０にしたがって処理を行う。
ステップＳ９５４では、情報処理装置８００は、文書送信モジュール８４０を呼び出す（起動する）。なお、第２の実施形態では、ユーザーＩＤ／パスワードは渡さない。
ステップＳ９５６では、文書送信モジュール８４０は、画像処理装置９００の認証情報記憶モジュール８２０が画像処理装置９００の記憶領域に記憶する、リフレッシュトークンを取得する。なお、認証情報記憶モジュール８２０は、画像処理装置９００の記憶領域（ハードディスク等）にリフレッシュトークンを記憶している。指示書ジョブ９８０ではリフレッシュトークンを保持していない。
ステップＳ９５８では、文書送信モジュール８４０は、認証装置８８０より、リフレッシュトークンでアクセストークンの取得要求を行う。
ステップＳ９６０では、認証装置８８０は、文書送信モジュール８４０に対し、アクセストークン／リフレッシュトークンを応答する。
ステップＳ９６２では、文書送信モジュール８４０は、画像処理装置９００の認証情報記憶モジュール８２０内のリフレッシュトークンを更新する。
ステップＳ９６４では、文書送信モジュール８４０は、アクセストークンを用いて画像記憶装置１９０へアクセスし、受信した画像を転送する。
【００５７】
図１１は、第２の実施の形態による処理例を示すフローチャートである。画像を受け付ける前に行う処理であって、認証装置８８０への認証情報（第２の認証情報）を予め認証情報記憶モジュール８２０に記憶させておく処理である。
ステップＳ１１０２では、認証情報受付モジュール１１０は、ユーザー２２０の操作より第１の認証情報を受け付ける。ユーザー端末２１０を介して受け付けてもよいし、画像処理装置９００のユーザーインタフェースを介して受け付けてもよい。
ステップＳ１１０４では、認証情報受付モジュール１１０は、認証情報生成モジュール８８２に対して、第１の認証情報を送信する。
ステップＳ１１０６では、認証情報生成モジュール８８２は、認証情報受付モジュール１１０に対して、第２の認証情報を応答する。
ステップＳ１１０８では、認証情報受付モジュール１１０は、認証情報記憶モジュール８２０に第２の認証情報を保存する。
【００５８】
図１２は、第２の実施の形態による処理例を示すフローチャートである。画像を受け付けた後に行う処理であって、認証装置８８０を用いて画像記憶装置１９０に画像を転送する処理である。
ステップＳ１２０２では、文書受付モジュール１３０は、文書である画像をファックス受信する。
ステップＳ１２０４では、文書受付モジュール１３０は、文書送信モジュール８４０を起動する。
ステップＳ１２０６では、文書送信モジュール８４０は、認証情報記憶モジュール８２０より第２の認証情報の取得要求を行う。
ステップＳ１２０８では、認証情報記憶モジュール８２０は、文書送信モジュール８４０に対して、第２の認証情報を応答する。
【００５９】
ステップＳ１２１０では、文書送信モジュール８４０は、認証情報更新モジュール８８４に対して、第２の認証情報を送信する。
ステップＳ１２１２では、認証情報更新モジュール８８４は、文書送信モジュール８４０に対して、更新した第２の認証情報と第３の認証情報を応答する。
ステップＳ１２１４では、文書送信モジュール８４０は、認証情報記憶モジュール８２０に第２の認証情報を保存する。
ステップＳ１２１６では、文書送信モジュール８４０は、画像記憶装置１９０に対して、第３の認証情報を添付して文書を送信する。そして、画像記憶装置１９０では、第３の認証情報によってログインされ、画像を受信し、そのログインされたユーザーに対応する記憶領域に画像を記憶する。
【００６０】
図１３を参照して、本実施の形態の情報処理装置（情報処理装置１００、認証装置１８０、画像記憶装置１９０、情報処理装置８００、認証装置８８０）のハードウェア構成例について説明する。図１３に示す構成は、例えばパーソナルコンピュータ（ＰＣ）等によって構成されるものであり、スキャナー等のデータ読み取り部１３１７と、プリンタ等のデータ出力部１３１８を備えたハードウェア構成例を示している。
【００６１】
ＣＰＵ（Ｃｅｎｔｒａｌ  Ｐｒｏｃｅｓｓｉｎｇ  Ｕｎｉｔ）１３０１は、前述の実施の形態において説明した各種のモジュール、すなわち、認証情報受付モジュール１１０、文書受付モジュール１３０、文書送信モジュール１４０、認証情報生成モジュール８８２、認証情報更新モジュール８８４等の各モジュールの実行シーケンスを記述したコンピュータ・プログラムにしたがった処理を実行する制御部である。
【００６２】
ＲＯＭ（Ｒｅａｄ  Ｏｎｌｙ  Ｍｅｍｏｒｙ）１３０２は、ＣＰＵ１３０１が使用するプログラムや演算パラメータ等を格納する。ＲＡＭ（Ｒａｎｄｏｍ  Ａｃｃｅｓｓ  Ｍｅｍｏｒｙ）１３０３は、ＣＰＵ１３０１の実行において使用するプログラムや、その実行において適宜変化するパラメータ等を格納する。これらはＣＰＵバス等から構成されるホストバス１３０４により相互に接続されている。
【００６３】
ホストバス１３０４は、ブリッジ１３０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１３０６に接続されている。
【００６４】
キーボード１３０８、マウス等のポインティングデバイス１３０９は、操作者により操作されるデバイスである。ディスプレイ１３１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１３０９とディスプレイ１３１０の両方の機能を備えているタッチスクリーン等であってもよい。その場合、キーボードの機能の実現について、キーボード１３０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【００６５】
ＨＤＤ（Ｈａｒｄ  Ｄｉｓｋ  Ｄｒｉｖｅ）１３１１は、ハードディスク（フラッシュ・メモリ等であってもよい）を内蔵し、ハードディスクを駆動し、ＣＰＵ１３０１によって実行するプログラムや情報を記録又は再生させる。ハードディスクは、認証情報記憶モジュール１２０、認証情報記憶モジュール８２０等としての機能を実現させる。さらに、その他の各種データ、各種コンピュータ・プログラム等が格納される。
【００６６】
ドライブ１３１２は、装着されている磁気ディスク、光ディスク、光磁気ディスク、又は半導体メモリ等のリムーバブル記録媒体１３１３に記録されているデータ又はプログラムを読み出して、そのデータ又はプログラムを、インタフェース１３０７、外部バス１３０６、ブリッジ１３０５、及びホストバス１３０４を介して接続されているＲＡＭ１３０３に供給する。なお、リムーバブル記録媒体１３１３も、データ記録領域として利用可能である。
【００６７】
接続ポート１３１４は、外部接続機器１３１５を接続するポートであり、ＵＳＢ、ＩＥＥＥ１３９４等の接続部を持つ。接続ポート１３１４は、インタフェース１３０７、及び外部バス１３０６、ブリッジ１３０５、ホストバス１３０４等を介してＣＰＵ１３０１等に接続されている。通信部１３１６は、通信回線に接続され、外部とのデータ通信処理を実行する。データ読み取り部１３１７は、例えばスキャナーであり、ドキュメントの読み取り処理を実行する。データ出力部１３１８は、例えばプリンタであり、ドキュメントデータの出力処理を実行する。
【００６８】
なお、図１３に示す情報処理装置のハードウェア構成は、１つの構成例を示すものであり、本実施の形態は、図１３に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１３に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナー、プリンタ、複合機などに組み込まれていてもよい。
【００６９】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７０】
１００…情報処理装置
１１０…認証情報受付モジュール
１２０…認証情報記憶モジュール
１３０…文書受付モジュール
１４０…文書送信モジュール
１８０…認証装置
１９０…画像記憶装置
２００…画像処理装置
２１０…ユーザー端末
２２０…ユーザー
２３０…ファックス装置
２９０…通信回線
３８０…指示書ジョブ
４００…認証情報受付画面
８００…情報処理装置
８２０…認証情報記憶モジュール
８４０…文書送信モジュール
８８０…認証装置
８８２…認証情報生成モジュール
８８４…認証情報更新モジュール
９００…画像処理装置
【図１】
2019061324.tif 000003
【図２】
2019061324.tif 000004
【図３】
2019061324.tif 000005
【図４】
2019061324.tif 000006
【図５】
2019061324.tif 000007
【図６】
2019061324.tif 000008
【図７】
2019061324.tif 000009
【図８】
2019061324.tif 000010
【図９】
2019061324.tif 000011
【図１０】
2019061324.tif 000012
【図１１】
2019061324.tif 000013
【図１２】
2019061324.tif 000014
【図１３】
2019061324.tif 000015